(57)【要約】【課題】  貼り付ける部位毎に大きさの異なる導子パッドを複数種類用意することなく、貼り付け部位に応じて複数の導子パッドを接続して導子パッドの大きさを変更できる低周波治療器を提供する。【解決手段】  電流を発生させる本体１と、本体１からの電流を人体に流すための導電部２４を設けた導子パッド２からなる低周波治療器において、複数の導子パッド２同士を着脱自在に接続する接続部３を設けた。【選択図】        図１
2006325998.tif 000002
【特許請求の範囲】
【請求項１】
電流を発生させる本体と、本体からの電流を人体に流すための導電部を設けた導子パッドからなる低周波治療器において、複数の導子パッド同士を着脱自在に接続する接続部を設けて成ることを特徴とする低周波治療器。
【請求項２】
接続した導子パッドが相対的に回転可能となるように接続部を形成して成ることを特徴とする請求項１記載の低周波治療器。
【請求項３】
導子パッドの接続部を設ける部分を他の部分よりも変形し易い材料で形成するか又は変形し易い形状に形成して成ることを特徴とする請求項１記載の低周波治療器。
【請求項４】
接続部を伸縮自在に形成して成ることを特徴とする請求項１記載の低周波治療器。
【請求項５】
接続される導子パッド同士が短絡するのを防止する短絡防止手段を設けて成ることを特徴とする請求項２記載の低周波治療器。
【請求項６】
導子パッドの人体に電流を流すための導電部以外の部分に接続部を形成し、接続部にて接続された導子パッドの導電部同士が短絡するのを防止する短絡防止手段としての回転角度制限手段を設けて成ることを特徴とする請求項５記載の低周波治療器。
【請求項７】
接続された導子パッド間に流れる電流値が一定値以上となると該電流を遮断する短絡防止手段を設けて成ることを特徴とする請求項５記載の低周波治療器。
【請求項８】
着脱自在に接続される複数の導子パッドからなる導子パッド組を二組形成し、各導子パッド組からそれぞれ本体に接続するためのコードを導出するとともに本体に前記各導子パッド組からのコード接続部をそれぞれ設け、一方の導子パッド組と他方の導子パッド組との間に電流を流すモードと、各導子パッド組内の導電部間に電流を流すモードとを切替可能に形成して成ることを特徴とする請求項１記載の低周波治療器。
【請求項９】
導子パッド組内で複数の導子パッドを接続した時に導通する導通部を形成し、前記導通を検知することで両モードを自動で切替可能として成ることを特徴とする請求項８記載の低周波治療器。
【発明の詳細な説明】
【技術分野】
【０００１】
本発明は、人体に貼り付けて低周波電流を流すことで治療を行う低周波治療器に関するものである。
【背景技術】
【０００２】
従来より、人体に低周波電流を流すことで治療を行う低周波治療器が知られている（例えば特許文献１参照）。この低周波治療器は、図１５、図１６に示すように、それぞれ電極となる導電性を有する対をなす導子パッド２’を人体Ａに貼り付け、両導子パッド２’間に本体１からの電流をコード１１を介して流して施療するものである。
【特許文献１】特開平８−２５７１４１号公報
【発明の開示】
【発明が解決しようとする課題】
【０００３】
導子パッド２’としては、上述した別々の導子パッド２’からなるものや、あるいは図１７に示すように一体の導子パッド２”に両電極となる部分２４’をそれぞれ形成したものがあるが、このような従来の導子パッド２’、２”はいずれの場合でも人体の任意の部位にフィットさせることが難しいものである。
【０００４】
すなわち、それぞれが電極となる別々の導子パッド２’からなるものの場合には、導子パッド２’のサイズは例えば長径８０ｍｍ×短径６０ｍｍ程度であるが、腕等の湾曲のきつい部分（湾曲のＲが小さい部分）に貼り付けると、図１６（ｂ）に示すように湾曲のＲが小さい為に特に端面が剥がれ易くなってしまうものであり、また、一体の導子パッド２”に両電極となる部分２４’をそれぞれ形成したものの場合には、導子パッド２”のサイズは例えば長径１００ｍｍ×短径５０ｍｍ程度であるが、この場合も同様に図１７（ｃ）に示すように特に端面が剥がれ易くなってしまうものである。
【０００５】
また、剥がれ難くする為に導子パッド２’、２”のサイズを大きくすると、他の部位に貼り付ける際に導子パッド２’、２”が大きすぎることとなり、施療部位が小さな面積である場合には所望の位置に貼り付けられなくなってしまうものである。
【０００６】
このように、導子パッド２’、２”がいかなる大きさであっても、大きさを変更できないと人体の全ての部位に貼り付け易く且つ剥がれ難いように貼り付けることはできず、貼り付ける部位毎に大きさの異なる導子パッド２’、２”を複数種類用意するとこの点は解決することができるがコスト増大となってしまうものであった。
【０００７】
本発明は上記従来の問題点に鑑みて発明したものであって、その目的とするところは、貼り付ける部位毎に大きさの異なる導子パッドを複数種類用意することなく、貼り付け部位に応じて複数の導子パッドを接続して導子パッドの大きさを変更できる低周波治療器を提供することを課題とする。
【課題を解決するための手段】
【０００８】
上記課題を解決するために本発明の請求項１に係る低周波治療器は、電流を発生させる本体１と、本体１からの電流を人体に流すための導電部２４を設けた導子パッド２からなる低周波治療器において、複数の導子パッド２同士を着脱自在に接続する接続部３を設けて成ることを特徴とするものである。このような構成とすることで、一種類の導子パッド２を着脱自在に接続して導子パッド２の大きさを変更できて、腕等の湾曲のきつい部分に貼り付ける場合には、複数の導子パッド２同士をその接続部３にて接続して長く面積の大きい導子パッド２を形成して貼り付けることで、端面が剥がれ易いといったことがなくなり、人体の平坦な部分に貼り付ける場合には、導子パッド２を接続せずそれぞれ単独で所望の施療部位に貼り付けることで、所望の施療部位が狭い場合であっても大きな導子パッド２ではなく一つの導子パッド２を貼り付けるだけでよいため貼り付け易くなるものである。
【０００９】
また、請求項２の発明は、請求項１の発明において、接続した導子パッド２が相対的に回転可能となるように接続部３を形成して成ることを特徴とするものである。このような構成とすることで、例えば首や膝等のように直線状に長い導子パッド２を貼り付け難い施療部位に貼り付ける場合には、接続部３を回転させて導子パッド２を略Ｖ字形にして貼り付けることができて、導手パッドの人体への密着性が向上するものである。
【００１０】
また、請求項３の発明は、請求項１の発明において、導子パッド２の接続部３を設ける部分２１ｂを他の部分よりも変形し易い材料で形成するか又は変形し易い形状に形成して成ることを特徴とするものである。このような構成とすることで、腕等の湾曲のきつい部分にも密着性よく貼り付けることができるものである。
【００１１】
また、請求項４の発明は、請求項１の発明において、接続部３を伸縮自在に形成して成ることを特徴とするものである。このような構成とすることで、貼り付ける部位に応じて長さ調節することが可能となって、より一層密着性よく貼り付けることができるものである。
【００１２】
また、請求項５の発明は、請求項２の発明において、接続される導子パッド２同士が短絡するのを防止する短絡防止手段を設けて成ることを特徴とするものである。このような構成とすることで、接続される導子パッド２ａと導子パッド２ｂの導電部２４導子が接触して短絡するのを防止することができ、正常な施療ができなくなるのを防止することができる。
【００１３】
また、請求項６の発明は、請求項５の発明において、導子パッド２の人体に電流を流すための導電部２４以外の部分に接続部３を形成し、接続部３にて接続された導子パッド２ａ、２ｂの導電部２４同士が短絡するのを防止する短絡防止手段としての回転角度制限手段４を設けて成ることを特徴とするものである。このような構成とすることで、簡単な構成で短絡防止手段を形成することができる。
【００１４】
また、請求項７の発明は、請求項５の発明において、接続された導子パッド２ａ、２ｂ間に流れる電流値が一定値以上となると該電流を遮断する短絡防止手段を設けて成ることを特徴とするものである。このような構成とすることで、導子パッド２に短絡防止手段を設ける必要がないため、本体１側のみで対応できてコンパクト化が図れるとともにコスト低減化が図れるものである。
【００１５】
また、請求項８の発明は、請求項１の発明において、着脱自在に接続される複数の導子パッド２からなる導子パッド組Ｐを二組（Ｐ１、Ｐ２）形成し、各導子パッド組Ｐ１、Ｐ２からそれぞれ本体１に接続するためのコード１１を導出するとともに本体１に前記各導子パッド組Ｐ１、Ｐ２からのコード接続部１０をそれぞれ設け、一方の導子パッド組Ｐ１と他方の導子パッド組Ｐ２との間に電流を流すモードと、各導子パッド組Ｐ１、Ｐ２内の導電部２４間に電流を流すモードとを切替可能に形成して成ることを特徴とするものである。このような構成とすることで、二箇所の施療部位を同時に施療を行う場合と、一度に広範囲の施療を行う場合とを本体１の切替えでそれぞれ行うことができる。
【００１６】
また、請求項９の発明は、請求項８の発明において、導子パッド組Ｐ１、Ｐ２内で複数の導子パッド２を接続した時に導通する導通部５を形成し、前記導通を検知することで両モードを自動で切替可能として成ることを特徴とするものである。このような構成とすることで、使用者が操作する手間が省けて使い勝手が向上するとともに、このための操作部を本体１に設ける必要がなく部材削減及びコストダウンが図れるものである。
【発明の効果】
【００１７】
本発明では、一種類の導子パッドを着脱自在に接続して導子パッドの大きさを変更できて、貼り付ける部位毎に大きさの異なる導子パッドを複数種類用意する必要がなくなり、コスト増大を防止することができる。
【発明を実施するための最良の形態】
【００１８】
以下、本発明を添付図面に示す実施形態に基いて説明する。
【００１９】
まず、第一の実施形態について図１、図２に基いて説明する。
【００２０】
導子パッド２は、一方の面側が絶縁性を有する面（以下「絶縁性面ｚ」という）となるとともに他方の面側が導電性を有する面（以下「導電性面ｄ」という）となる平面視瓢箪状をした基材２１の長手方向の一端部に穴を形成し、前記導電性面ｄ側から絶縁性面ｚ側に向けて前記穴を介して突出するスナップ端子２２を設けてある。スナップ端子２２は、低周波治療器の本体１からの出力用のコード１１と接続するためのもので、図１（ｂ）に示すように円板状の大径部２２ａからこれよりも小径の端子部２２ｂを突出し、基材２１の導電性面ｄ側から穴を介して絶縁性面ｚ側に向けて端子部２２ｂを突出させるとともに大径部２２ａを粘着テープ２３によって導電性面ｄに固定している。前記コード１１は、本体１側の端部の接続部１１ａには端子ピン（図示せず）が設けてあるとともに、途中から反対側に向けて複数（本実施形態では二つ）に分岐してその分岐側の端部にはそれぞれ導子パッド２のスナップ端子２２の端子部２２ｂへの連結部１１ｂが形成してある。このコード１１は、本体１に形成したピン挿入部からなるコード接続部１０に前記端子ピンを挿入して接続するとともに、反対側の連結部１１ｂをそれぞれ複数（本実施形態では二つ）の導子パッド２（２ａ、２ｂ）の端子部２２ｂに接続する。そして、基材２１の導電性面ｄ（粘着テープ２３の表面を含む）には、スナップ端子２２を設けた側の端部から反対側の端部の後述する接続部３を設ける部分２１ｂに達するまでの部分に人体へ低周波の電流を流す為の電極となるゲルからなる導電部２４を設けている。
【００２１】
導子パッド２は複数あり、本実施形態では一方の導子パッド２（以下単に「導子パッド２ａ」という）と他方の導子パッド２（以下単に「導子パッド２ｂ」という）の二つからなり、これらには導子パッド２同士を着脱自在に接続するための接続部３が形成してある。導子パッド２ａには、基材２１のスナップ端子２２を設けた側と反対側の端部の絶縁性面ｚに接続部３として面状ファスナー３１ａを取り付けている。一方、導子パッド２ｂには、基材２１のスナップ端子２２を設けた側と反対側の端部の導電性面ｄの一部に絶縁性を有する部分（後述する接続部３を設ける部分２１ｂと同じ）を形成し、その部分に接続部３として面状ファスナー３１ｂを取り付けている。そして、面状ファスナー３１ａと面状ファスナー３１ｂを貼り合わせることで導子パッド２ａと導子パッド２ｂを接続して一繋がりの導子パッド組を形成するものである。なお、一つの導子パッド２に設けるスナップ端子２２（図中ではその端子部２２ｂ）は一個でもよいし、図２（ａ）に示すように二個でもよいし、それ以上でもよい。また、導子パッド組は図２（ｂ）に示すように三つの導子パッド２を接続して形成するか、あるいはそれ以上の導子パッド２を接続して形成してもよい。
【００２２】
本実施形態の導子パッド組においては、導子パッド２ａの導電部２４と導子パッド２ｂの導電部２４とは接触・導通されずこの両導電部２４がそれぞれ人体に電流を流す際の電極となり、本体１からはコード１１の二本の導線を介して両導電部２４間に低周波の電流が流れるように送電する。
【００２３】
このように、複数の導子パッド２をその接続部３にて接続して導子パッド組を形成することで、腕等の湾曲のきつい部分に貼り付ける場合にはその周方向に長く（半周以上）貼り付けることができて、端面が剥がれ易いといったことがなくなるものである。
【００２４】
また、背中等の平坦な部分に貼り付ける場合には、導子パッド２を接続せずそれぞれ単独に所望の施療部位に貼り付ければよい。
【００２５】
以上のような構成によれば、腕等の湾曲のきつい部分に貼り付ける場合には、複数の導子パッド２同士をその接続部３にて接続して長く面積の大きい一繋がりの導子パッド組を形成して貼り付けることで、端面が剥がれ易いといったことがなくなり、背中等の平坦な部分に貼り付ける場合には、導子パッド２をそれぞれ単独で所望の施療部位に貼り付けることで、所望の施療部位が狭い場合であっても大きな導子パッド組ではなく一つの導子パッド２を貼り付けるだけでよいため貼り付け易いものであり、一種類の導子パッド２を着脱自在に接続して一つの導子パッド２、接続した導子パッド組、といったようにその大きさを変更できて、貼り付ける部位毎に大きさの異なる導子パッド２を複数種類用意する必要がなくなり、コスト増大を防止することができる。
【００２６】
なお、接続部３としては特に面状ファスナー３１ａに限定されず、これ以外のものでもよい。
【００２７】
次に、第二の実施形態について図３乃至図５に基いて説明する。なお、第一の実施形態と同様の箇所については同符号を付して説明を省略し、主に異なる部分について説明する。
【００２８】
本実施形態は、導子パッド２の接続部３を、接続した導子パッド２が相対的に回転可能となるように形成するものである。
【００２９】
導子パッド２ａには、基材２１のスナップ端子２２を設けた側と反対側の端部に接続部３としてホック端子３２ａを取り付けており、導子パッド２ｂには、基材２１のスナップ端子２２を設けた側と反対側の端部に接続部３としてホック端子３２ｂを取り付けている。ホック端子３２ａは、導子パッド２ａの基材２１の絶縁性面ｚ側にホック端子３２ｂと接続する略楕円球状をした膨大頭部３２ｃが突出するように形成してあり、この膨大頭部３２ｃを突出する基部は該膨大頭部３２ｃより小径の断面略円形状をした首部３２ｄとなっている。ホック端子３２ｂは、導子パッド２ｂの基材２１の導電性面ｄのスナップ端子２２を設けた側と反対側の端部の一部に絶縁性を有する部分を形成し、その部分にホック端子３２ａの膨大頭部３２ｃが没入される略円形状をした穴部３２ｅを設けるとともに、穴部３２ｅ内にホック端子３２ａの膨大頭部３２ｃが乗り越えてその首部３２ｄを挟む挟みバネ３２ｆを設けてある。そして、ホック端子３２ａの膨大頭部３２ｃをホック端子３２ｂの挟みバネ３２ｆを拡げて乗り越えてホック端子３２ａの首部３２ｄを挟みバネ３２ｆで挟むことで、導子パッド２ａと導子パッド２ｂを接続するものである。
【００３０】
接続されたホック端子３２ａとホック端子３２ｂとは、ホック端子３２ｂの穴部３２ｅ内でホック端子３２ａの膨大頭部３２ｃが回転自在であるとともにホック端子３２ｂの挟みバネ３２ｆに挟まれたホック端子３２ａの首部３２ｄも回転自在であるため、導子パッド２ａと導子パッド２ｂは互いに相対的に回転可能となるものである。
【００３１】
以上のような構成によれば、接続した導子パッド２同士が相対的に回転可能となって、例えば図５（ａ）に示す首Ｈや図５（ｂ）に示す膝等のように直線状の導子パッド組を貼り付け難い施療部位に貼り付ける場合には、接続部３を回転させて導子パッド組を略Ｖ字形にして貼り付けることができて、導手パッドの人体への密着性が向上する。
【００３２】
なお、導子パッド２が相対的に回転可能となるような接続部３としては特にホック端子３２ａに限定されず、これ以外のものでもよい。
【００３３】
次に、第三の実施形態について図６、図７に基いて説明する。なお、第一の実施形態と同様の箇所については同符号を付して説明を省略し、主に異なる部分について説明する。
【００３４】
本実施形態は、導子パッド２の接続部３を設ける部分２１ｂを他の部分よりも変形し易い材料で形成するか又は変形し易い形状に形成するものである。
【００３５】
図６に示す例では、導子パッド２の基材２１のうち、導電部２４を設ける部分２１ａを例えばＰＥＴ等の合成樹脂やその他の部材で形成するとともに、接続部３を設ける部分２１ｂを例えばゴム等からなる部材で形成する。この時、基材２１の導電部２４を設ける部分２１ａと接続部３を設ける部分２１ｂの厚みは同じとなるように形成し、接続部３を設ける部分２１ｂを導電部２４を設ける部分２１ａ及び導電部２４よりも高変形性（低剛性）を有するように形成している。
【００３６】
図７に示す例では、導子パッド２の基材２１のうち、導電部２４を設ける部分２１ａが接続部３を設けた部分よりも厚みが厚くなるように導電部２４を設ける部分２１ａを二層に形成し、接続部３を設けた部分を導電部２４を設ける部分２１ａ及び導電部２４よりも高変形性を有するように形成している。
【００３７】
以上のような構成によれば、接続部３を設けた部分が導電部２４を設ける部分２１ａ及び導電部２４よりも変形し易くなって、腕等の湾曲のきつい部分にも密着性よく貼り付けることができるものである。
【００３８】
なお、導子パッド２の接続部３の材料、形状は特に上例に限定されず、これ以外のものでもよい。
【００３９】
次に、第四の実施形態について図８に基いて説明する。なお、第一の実施形態と同様の箇所については同符号を付して説明を省略し、主に異なる部分について説明する。
【００４０】
本実施形態は、導子パッド２の接続部３を伸縮自在に形成するものである。
【００４１】
導子パッド２ａには、基材２１のスナップ端子を設けた側と反対側の端部の絶縁性面ｚに接続部３として面状ファスナー３１ａを取り付けている。一方、導子パッド２ｂには、基材２１のスナップ端子２２を設けた側と反対側の端部の導電性面ｄの一部に絶縁性を有する部分を形成し、その部分に接続部３として面状ファスナー３１ｂを設けたスライド部材３３を取り付けている。スライド部材３３は、固定側部材３３ａと該固定側部材３３ａに対して可動な可動側部材３３ｂとからなる。固定側部材３３ａは、導子パッド２ｂの前記絶縁性を有する部分に固定されるもので、基材２１の長手方向から見た断面形状は略リップ付コ字状をしたものである。可動側部材３３ｂは、固定側部材３３ａの内部にスライド可能に嵌め込むもので、固定側部材３３ａのリップ間から外方に臨む被着面が形成してあり、この被着面に面状ファスナー３１ｂが取り付けてある。可動側部材３３ｂと固定側部材３３ａとは図示しない抜け止め部によってスライド方向に抜け止めされている。
【００４２】
そして、面状ファスナー３１ａと面状ファスナー３１ｂを貼り合わせることで導子パッド２ａと導子パッド２ｂを接続して導子パッド組を形成するのであるが、この時、導子パッド２ｂの可動側部材３３ｂを固定側部材３３ａに対してスライドさせることで、導子パッド組の長さを所望の長さとなるように伸縮することができる。
【００４３】
以上のような構成によれば、貼り付ける部位に応じて長さ調節することが可能となって、より一層密着性よく貼り付けることができるものである。
【００４４】
なお、導子パッド２の接続部３を伸縮自在とする構成は特に本実施形態に限定されず、これ以外のものでもよい。
【００４５】
次に、第五の実施形態について図９乃至図１１に基いて説明する。なお、第二の実施形態と同様の箇所については同符号を付して説明を省略し、主に異なる部分について説明する。
【００４６】
本実施形態は、接続される導子パッド２同士が短絡するのを防止する短絡防止手段を設けるものである。
【００４７】
図９に示す例では、導子パッド２の基材２１の接続部３を設けた部分に短絡防止手段としてストッパー４１からなる回転角度制限手段４を設けている。これは、導子パッド２ｂの基材２１の接続部３を設けた部分の端縁から導電性面ｄ側に絶縁性物質からなるストッパー４１を突設して回転角度制限手段４を形成してある。これにより、接続部３にて接続した導子パッド２ａを導子パッド２ｂに対して接続部３を中心に回転させた際、図９（ａ）に示すようにストッパー４１に導子パッド２ａの端縁が当接してそれ以上の回転が制止され、導子パッド２ａと導子パッド２ｂの導電部２４同士が接触して短絡するのを防止するものである。
【００４８】
図１０に示す例では、導子パッド２の基材２１の接続部３に短絡防止手段として回転角度制限手段４を設けている。これは、導子パッド２ａにおいてホック端子３２ａの膨大頭部３２ｃが突出した部分とは別の部分に膨大頭部３２ｃと同方向に突出する突起４２を形成するとともに、導子パッド２ｂにおいてホック端子３２ｂの前記突起４２に対応する部分に該突起４２が挿入される溝４３を形成してある。この溝４３は、図１０（ｄ）に示すように突起４２が一定の角度範囲のみ移動し得るように形成してあり、これによって、接続部３にて接続した導子パッド２ａを導子パッド２ｂに対して接続部３を中心に回転させた際、ストッパー４１に導子パッド２ａの突起４２が一定の角度範囲の限界まで移動すると溝４３の端縁に当接してそれ以上の回転が制止され、導子パッド２ａと導子パッド２ｂの導電部２４同士が接触して短絡するのを防止するものである。
【００４９】
図１１に示す例では、短絡防止手段として、接続された導子パッド２間に流れる電流値が一定値以上となると遮断するものを設けてある。このものにあっては、導子パッド２は第二の実施形態と同じであるが、本体１側において、導電部２４同士が短絡した際の電流を検知して遮断するようにしている。すなわち、導子パッド２ａと導子パッド２ｂとを導電部２４同士が短絡しないように人体に貼り付けた時の導電部２４間にかかる人体抵抗値は約５００〜１ｋΩであり、電圧を前記人体抵抗値で割った値が電流値となる。また、導子パッド２を人体に貼り付けていない場合には抵抗は略無限大となって電流は流れない。そして、導子パッド２ａと導子パッド２ｂの導電部２４が接触して図中Ｓにて短絡した場合、導電部２４間の抵抗値は０となり電流は回路中の抵抗のみとなって大きな電流が流れる。従って、所定の閾値以上の大きな電流を検出することで導電部２４間の短絡を検知することができ、この時、電流を遮断するものである。
【００５０】
以上のような構成によれば、導子パッド２ａと導子パッド２ｂの導電部２４導子が接触して短絡するのを防止することができ、正常な施療ができなくなるのを防止することができる。この時、図９、図１０に示す例の場合には、回転角度制限手段４という簡単な構成で短絡防止手段を形成することができ、図１１に示す例の場合には、導子パッド２に回転角度制限手段４のような部材を設ける必要がないため、本体１側のみで対応できてコンパクト化が図れるとともにコスト低減化が図れるものである。
【００５１】
なお、短絡防止手段としては図９乃至図１１に示す例に限定されず、これ以外のものでもよい。
【００５２】
次に、第六の実施形態について図１２に基いて説明する。なお、第一の実施形態と同様の箇所については同符号を付して説明を省略し、主に異なる部分について説明する。
【００５３】
本実施形態は、導子パッド組を二組（Ｐ１、Ｐ２）形成して人体に貼り付け、一方の導子パッド組Ｐ１と他方の導子パッド組Ｐ２との間に電流を流すモードと、各導子パッド組Ｐ１、Ｐ２内の導電部２４間に電流を流すモードとを切替可能とするものである。
【００５４】
まず、一方の導子パッド組Ｐ１と他方の導子パッド組Ｐ２との間に電流Ｉ２を流すモードについて図１２（ｂ）に基いて説明する。本実施形態では、二つの導子パッド２を接続した導子パッド組を二組（Ｐ１、Ｐ２）形成してあるが、導子パッド組Ｐ１、Ｐ２をなす導子パッド２数は二つに限らず三つ以上であってもよい。また、接続部３としては面状ファスナー３１ａやホック端子３２ａ等、特に限定されない。
【００５５】
この二つの導子パッド組Ｐ１、Ｐ２を人体の一箇所の施療部位にそれぞれ貼り付け、各導子パッド２からのコード１１を本体１に接続する。本体１にはコード接続部１０が二つ形成してあり、このコード接続部１０に二つのコード１１の端子ピンをそれぞれ接続する。なお、導子パッド組Ｐ１、Ｐ２を人体に貼り付ける前にコード１１の端子ピンを本体１に接続してあってもよく、順序はどちらでもよい。
【００５６】
そして、本体１に設けたスイッチや釦（特に図示せず）を操作して本モードとなるように本体１内の回路を切替え、各導子パッド組Ｐ１、Ｐ２間に電流Ｉ２を流して施療する。
【００５７】
本モードでは、各導子パッド組Ｐ１、Ｐ２を一電極として機能させるもので、これにより、例えば腰等の大きな施療部位において一度に広範囲の施療を行うことができる。
【００５８】
次に、各導子パッド組Ｐ１、Ｐ２内の導電部２４間に電流Ｉ１を流すモードについて図１２（ａ）に基いて説明する。
【００５９】
上モードの場合と同様に導子パッド組を二組（Ｐ１、Ｐ２）形成し、この二つの導子パッド組Ｐ１、Ｐ２を人体の二箇所の施療部位にそれぞれ貼り付ける。
【００６０】
そして、本体１に設けたスイッチや釦（特に図示せず）を操作して本モードとなるように本体１内の回路を切替え、各導子パッド組Ｐ１、Ｐ２内の導電部２４間に電流Ｉ１を流して施療する。
【００６１】
本モードでは、二箇所の施療部位を同時に施療することが可能となり、例えば両肩の筋肉に沿ってそれぞれ電流を流すことで、人間がマッサージする感覚により近い感覚での施療を行うことができる。
【００６２】
以上のような構成によれば、二箇所の施療部位を同時に施療を行う場合と、一度に広範囲の施療を行う場合とを本体１の切替えだけでそれぞれ行うことができるとともに、一種類の導子パッド２の組合せだけで狭範囲から広範囲までの様々な施療を行うことができる。
【００６３】
次に、第七の実施形態について図１３、図１４に基いて説明する。なお、第六の実施形態と同様の箇所については同符号を付して説明を省略し、主に異なる部分について説明する。
【００６４】
本実施形態は、上記第六の実施形態において、導子パッド組Ｐ１、Ｐ２内で複数の導子パッド２を接続した時に導通する導通部５を形成し、前記導通を検知することで両モードを自動で切替可能とするものである。
【００６５】
図１３に示すように、本実施形態の導子パッド２の接続部３は第二の実施形態と同様のホック端子３２ａからなり、ホック端子３２ａは金属等の導電性を有する部材で構成される。そして、ホック端子３２ａと導電部２４とを導電部材で接続して導通部５を形成してある。なお、導通部５としては前記に限定されず、導子パッド２の基材２１の導電性面ｄの接続部３を設ける部分２１ｂを絶縁せずに導電性面ｄ全面に亙って導電性を有するようにしてもよい。
【００６６】
まず、一方の導子パッド組Ｐ１と他方の導子パッド組Ｐ２との間に電流Ｉ２を流すモードについて図１４（ｂ）に基いて説明する。
【００６７】
導子パッド２を接続した導子パッド組Ｐ１、Ｐ２を二組形成し、この二つの導子パッド組Ｐ１、Ｐ２を人体の一箇所の施療部位にそれぞれ貼り付けて施療を開始する。この時、各導子パッド組Ｐ１、Ｐ２の導子パッド２の導電部２４間は導通状態となるため、本体１にて抵抗値の低下を検知して自動で本モードとなるように本体１内の回路を切替え、各導子パッド組Ｐ１、Ｐ２間に電流Ｉ２を流して施療する。これにより、一度に広範囲の施療を行うことが可能となる。
【００６８】
次に、各導子パッド組Ｐ１、Ｐ２内の導電部２４間に電流Ｉ１を流すモードについて図１４（ａ）に基いて説明する。
【００６９】
この場合には、導子パッド組Ｐ１、Ｐ２をなす導子パッド２同士は互いに接続しないもので、各導子パッド組Ｐ１、Ｐ２は一繋がりとならず複数（本実施形態では二つ）の導子パッド２が独立に動き得る状態となっている。但し、コード１１は各導子パッド組Ｐ１、Ｐ２毎に接続される。
【００７０】
そして、この二つの導子パッド組Ｐ１、Ｐ２を人体の二箇所の施療部位にそれぞれ貼り付けて施療を開始する。この時、各導子パッド組Ｐ１、Ｐ２の導子パッド２の導電部２４間は開放状態となるため、本体１にて抵抗値の上昇を検知して自動で本モードとなるように本体１内の回路を切替え、各導子パッド組Ｐ１、Ｐ２内の導電部２４間に電流を流して施療する。これにより、二箇所の施療部位を同時に施療することが可能となる。
【００７１】
以上のような構成によれば、両モードを自動で切替可能となるため、使用者が操作する手間が省けて使い勝手が向上するとともに、このための操作部を本体１に設ける必要がなく部材削減及びコストダウンが図れるものである。
【図面の簡単な説明】
【００７２】
【図１】本発明の第一の実施形態を示し、（ａ）は全体平面図であり、（ｂ）は導子パッドの側断面図である。
【図２】（ａ）（ｂ）はそれぞれ同上における導子パッドの他例の平面図である。
【図３】第二の実施形態の導子パッドを示し、（ａ）は平面図であり、（ｂ）は側断面図であり、（ｃ）は他方の導子パッドの下面図である。
【図４】同上において接続した導子パッドの回転を示す平面図である。
【図５】（ａ）（ｂ）はそれぞれ同上において人体に導子パッド組を貼り付けた状態の説明図である。
【図６】第三の実施形態の導子パッドを示し、（ａ）は平面図であり、（ｂ）は側断面図である。
【図７】同上の他例の導子パッドを示し、（ａ）は平面図であり、（ｂ）は側断面図である。
【図８】第四の実施形態の導子パッドを示し、（ａ）は平面図であり、（ｂ）は側断面図であり、（ｃ）はスライド部材下方からの斜視図であり、（ｄ）はスライド部材の下面図であり、（ｅ）はスライド部材を伸長させた状態の側断面図であり、（ｆ）は伸長したスライド部材の下方からの斜視図であり、（ｇ）は伸長したスライド部材の下面図である。
【図９】第五の実施形態の導子パッドを示し、（ａ）は平面図であり、（ｂ）は側断面図である。
【図１０】同上の他例の導子パッドを示し、（ａ）は平面図であり、（ｂ）は側断面図であり、（ｃ）は導子パッドの下面図であり、（ｄ）はホック端子の要部拡大図である。
【図１１】同上の更に他例の導子パッドを示し、（ａ）は導子パッドの導電部が短絡していない状態の平面図であり、（ｂ）は導子パッドの導電部が短絡している状態の平面図である。
【図１２】第六の実施形態の導子パッドを示し、（ａ）は各導子パッド組内の導電部間に電流を流すモードの説明図であり、（ｂ）は一方の導子パッド組と他方の導子パッド組との間に電流を流すモードの説明図である。
【図１３】第七の実施形態の導子パッドの側断面図である。
【図１４】同上において、（ａ）は各導子パッド組内の導電部間に電流を流すモードの説明図であり、（ｂ）は一方の導子パッド組と他方の導子パッド組との間に電流を流すモードの説明図である。
【図１５】従来の低周波治療器の説明図である。
【図１６】同上の低周波治療器を人体に貼り付けた場合の説明図であり、（ａ）は斜視図であり、（ｂ）は端部が剥がれる際の断面図である。
【図１７】従来の他例の低周波治療器を示し、（ａ）は上方からの斜視図であり、（ｂ）は下方からの斜視図であり、（ｃ）は端部が剥がれる際の断面図である。
【符号の説明】
【００７３】
１    本体
２    導子パッド
２４  導電部
３    接続部
【図１】
2006325998.tif 000003
【図２】
2006325998.tif 000004
【図３】
2006325998.tif 000005
【図４】
2006325998.tif 000006
【図５】
2006325998.tif 000007
【図６】
2006325998.tif 000008
【図７】
2006325998.tif 000009
【図８】
2006325998.tif 000010
【図９】
2006325998.tif 000011
【図１０】
2006325998.tif 000012
【図１１】
2006325998.tif 000013
【図１２】
2006325998.tif 000014
【図１３】
2006325998.tif 000015
【図１４】
2006325998.tif 000016
【図１５】
2006325998.tif 000017
【図１６】
2006325998.tif 000018
【図１７】
2006325998.tif 000019